(57)【要約】【課題】本発明は、金型のモールドコアの製作方法を提供することを目的とする。【解決手段】本発明のモールドコアの製作方法は、モールドコア基板及び第一収容キャビティを有する第一固定具を提供するステップと、モールドコア基板を第一収容キャビティに取り付け、第一固定具を主軸及びバイトビットを備える加工機台に取り付け、第一固定具の中心軸線を主軸の中心軸線に一致さ、バイトビットをモールドコア基板の成形面に対面して設置するステップと、主軸を回転させて第一固定具を回転させ、バイトビットによりモールドコア基板の成形面に第一成形穴を形成するステップと、モールドコア基板を第一固定具から取り外して１８０度回転させ、モールドコア基板を再び第一収容キャビティに取り付けるステップと、主軸を回転させ、第一固定具を回転させ、バイトビットによりモールドコア基板の成形面に第二成形穴を形成するステップと、を備える。【選択図】図４
2010269594.tif 000002
【特許請求の範囲】
【請求項１】
成形面を有するモールドコア基板及び前記モールドコア基板を収容するための第一収容キャビティを有する第一固定具を提供するステップと、
前記モールドコア基板を前記第一固定具の第一収容キャビティに取り付けてから、前記第一固定具を同軸であり且つ互いに対面して設置される主軸及びバイトビットを備える加工機台に取り付けて、前記第一固定具の中心軸線を前記主軸の中心軸線に一致させ、前記ドリルビットを前記モールドコア基板の成形面に対面して設置するステップと、
前記主軸を回転させて、前記第一固定具を前記主軸の中心軸線を中心として回転させ、且つ前記バイトビットを前記主軸の中心軸線と一致させて前記モールドコア基板に接触させ、前記モールドコア基板の成形面に第一成形穴を加工して形成するステップと、
前記モールドコア基板を前記第一固定具から取り外し、且つ前記主軸に平行する中心軸線を中心として１８０度回転させてから、前記モールドコア基板を再び前記第一固定具の第一収容キャビティに取り付けるステップと、
前記主軸を回転させて、前記第一固定具を前記主軸の中心軸線を中心として回転させ、且つ前記バイトビットを前記主軸の中心軸線と一致させて前記モールドコア基板に接触させ、前記モールドコア基板の成形面に第二成形穴を加工して形成するステップと、
を備え、前記第一収容キャビティの中心は前記第一固定具の中心軸線から外れていることを特徴とするモールドコアの製作方法。
【請求項２】
前記モールドコア基板の成形面に第二成形穴を形成してから、
前記モールドコア基板を収容するための第二収容キャビティを有する第二固定具を提供するステップと、
前記モールドコア基板を前記第二固定具の第二収容キャビティに収容してから、前記第二固定具を前記加工機台に取り付けて、前記第二固定具の中心軸線を前記主軸の中心軸線に一致させ、前記バイトビットを前記モールドコア基板の成形面に対面して設置するステップと、
前記主軸を回転させて、前記第二固定具を前記主軸の中心軸線を中心として回転させ、且つ前記バイトビットを前記主軸の中心軸線と一致させて前記モールドコア基板に接触させ、前記モールドコア基板の成形面に第三成形穴を加工して形成するステップと、
を備え、前記第二収容キャビティの中心は前記第二固定具の中心軸線から外れていることを特徴とする請求項１に記載のモールドコアの製作方法。
【請求項３】
前記モールドコア基板の成形面に第三成形穴を形成してから、
前記モールドコア基板を前記第二固定具から取り外し、且つ前記主軸に平行する中心軸線を中心として１８０度回転させてから、前記モールドコア基板を再び前記第二固定具の第一収容キャビティに取り付けるステップと、
前記主軸を回転させて、前記第二固定具を前記主軸の中心軸線を中心として回転させ、且つ前記バイトビットを前記主軸の中心軸線と一致させて前記モールドコア基板に接触させ、前記モールドコア基板の成形面に第四成形穴を加工して形成するステップと、
ことを特徴とする請求項２に記載のモールドコアの製作方法。
【請求項４】
前記第二収容キャビティの中心と前記第二固定具の中心軸線との間の距離は、前記第一収容キャビティの中心と前記第一固定具の中心軸線との間の距離より大きいか又は小さいことを特徴とする請求項２に記載のモールドコアの製作方法。
【請求項５】
成形面を有するモールドコア基板及び前記モールドコア基板を収容するための第一収容キャビティを有する第一固定具を提供するステップと、
前記モールドコア基板を前記第一固定具の第一収容キャビティに取り付けてから、前記第一固定具を同軸であり且つ互いに対面して設置される主軸及びバイトビットを備える加工機台に取り付けて、前記第一固定具の中心軸線を前記主軸の中心軸線に一致、前記バイトビットを前記モールドコア基板の成形面に対面して設置するステップと、
前記主軸を回転させて、前記第一固定具を前記主軸の中心軸線を中心として回転させ、且つ前記バイトビットを前記主軸の中心軸線と一致させて前記モールドコア基板に接触させ、前記モールドコア基板の成形面に１つの成形穴を加工して形成するステップと、
前記モールドコア基板を収容するための第二収容キャビティを有する第二固定具を提供し、前記第二収容キャビティの中心は前記第二固定具の中心軸線から外れているステップと、
前記モールドコア基板を前記第二固定具の第二収容キャビティに収容してから、前記第二固定具を前記加工機台に取り付けて、前記第二固定具の中心軸線を前記主軸の中心軸線に一致させ、前記バイトビットを前記モールドコア基板の成形面に対面して設置させるステップと、
前記主軸を回転させて、前記第二固定具を前記主軸の中心軸線を中心として回転させ、且つ前記バイトビットを前記主軸の中心軸線と一致させて前記モールドコア基板に接触させ、前記モールドコア基板の成形面にもう１つの成形穴を加工して形成するステップと、
を備え、前記第一収容キャビティの中心は前記第一固定具の中心軸線から外れていることを特徴とするモールドコア基板の製作方法。
【請求項６】
前記モールドコア基板の成形面に１つの成形穴を形成してから前記第二固定具を提供する前に、
前記モールドコア基板を前記第一固定具から取り外し、且つ前記主軸に平行する中心軸線を中心として１８０度回転させてから、前記モールドコア基板を再び前記第一固定具の第一収容キャビティに取り付けるステップと、
前記主軸を回転させて、前記第一固定具を前記主軸の中心軸線を中心として回転させ、且つ前記バイトビットを前記主軸の中心軸線と一致させて前記モールドコア基板に接触させ、前記モールドコア基板の成形面に他の成形穴を加工して形成するステップと、
を備えることを特徴とする請求項５に記載のモールドコア基板の製作方法。
【請求項７】
前記第二収容キャビティの中心と前記第二固定具の中心軸線との間の距離は、前記第一収容キャビティの中心と前記第一固定具の中心軸線との間の距離より大きいか又は小さいことを特徴とする請求項５に記載のモールドコア基板の製作方法。
【発明の詳細な説明】
【技術分野】
【０００１】
本発明は、モールドコア（ｍｏｌｄ  ｃｏｒｅ）の製作方法に関するものである。
【背景技術】
【０００２】
科学技術の発展に伴い、光ファイバーは通信業に広く応用されている。通常、光ファイバーコネクターを採用して光ファイバーを接続する。光ファイバーコネクターの接続端にカップリングレンズが設置されるため、光ファイバーコネクターが受ける光線を集めてから光ファイバー内に伝送する。カップリングレンズによって光線を集めるため、光ファイバーコネクターによる接続過程で生じる信号の損耗を減少できる（非特許文献１を参照）。
【０００３】
光ファイバーの伝送しようとする情報量が増加するため、１つの光ファイバーコネクターに複数の光ファイバー伝送通路を設置して、複数のカップリングレンズからなるレンズアレイを必要とする。複数の光ファイバー伝送通路との間の間隔が非常に小さいため、複数のカップリングレンズとの間の間隔も非常に小さい。
【０００４】
レンズアレイは、金型のモールドコアによって成形される。複数のカップリングレンズの間の間隔が非常に小さく、且つ各々のカップリングレンズの寸法は非常に精密にしなければならないため、レンズアレイを製作するモールドコアも非常に精密にしなければならない。
【０００５】
しかし、従来の技術においては、レンズアレイを製作するために用いられる精密な寸法及び形状を有するモールドコアを製作し難い。
【先行技術文献】
【非特許文献】
【０００６】
【非特許文献１】Ｚｕｙｕａｎ  Ｈｅ、Ｍａｈｍｏｏｄ，Ｗ．、Ｓａｈｉｎｃｉ，Ｅ．、Ａｈｍａｄ，Ｎ．、Ｐｒａｄｉｅｕ，Ｙ．、“Ａｎａｌｙｓｉｓ  ｏｎ  ｔｈｅ  ｅｆｆｅｃｔｓ  ｏｆ  ｆｉｂｅｒ  ｅｎｄ  ｆａｃｅ  ｓｃｒａｔｃｈｅｓ  ｏｎ  ｒｅｔｕｒｎ  ｌｏｓｓ  ｐｅｒｆｏｒｍａｎｃｅ  ｏｆ  ｏｐｔｉｃａｌ  ｆｉｂｅｒ  ｃｏｎｎｅｃｔｏｒｓ”、Ｌｉｇｈｔｗａｖｅ  Ｔｅｃｈｎｏｌｏｇｙ、Ｊｏｕｒｎａｌ  ｏｆ  Ｖｏｌｕｍｅ  ２２、Ｉｓｓｕｅ  １２、２００４年１２月、２７４９−２７５４ページ
【発明の概要】
【発明が解決しようとする課題】
【０００７】
本発明の目的は、前記問題点を解決し、レンズアレイを製作するために用いられる精密な寸法及び形状を有するモールドコアの製作方法を提供することである。
【課題を解決するための手段】
【０００８】
本発明に係るモールドコアの製作方法は、成形面を有するモールドコア基板及び前記モールドコア基板を収容するための第一収容キャビティを有する第一固定具を提供し、前記第一収容キャビティの中心は前記第一固定具の中心軸線から外れているステップと、前記モールドコア基板を前記第一固定具の第一収容キャビティに取り付けてから、前記第一固定具を同軸であり且つ互いに対面して設置される主軸及びバイトビットを備える加工機台に取り付けて、前記第一固定具の中心軸線を前記主軸の中心軸線に一致させ、前記バイトビットを前記モールドコア基板の成形面に対面して設置するステップと、前記主軸を回転させて、前記第一固定具を前記主軸の中心軸線を中心として回転させ、且つ前記バイトビットを前記主軸の中心軸線と一致させて前記モールドコア基板に接触させ、前記モールドコア基板の成形面に第一成形穴を加工して形成するステップと、前記モールドコア基板を前記第一固定具から取り外し、且つ前記主軸に平行する中心軸線を中心として１８０度回転させてから、前記モールドコア基板を再び前記第一固定具の第一収容キャビティに取り付けるステップと、前記主軸を回転させて、前記第一固定具を前記主軸の中心軸線を中心として回転させ、且つ前記バイトビットを前記主軸の中心軸線と一致させて前記モールドコア基板に接触させて、前記モールドコア基板の成形面に第二成形穴を加工して形成するステップと、を備える。
【０００９】
本発明に係るモールドコアの製作方法は、成形面を有するモールドコア基板及び前記モールドコア基板を収容するための第一収容キャビティを有する第一固定具を提供し、前記第一収容キャビティの中心は前記第一固定具の中心軸線から外れているステップと、前記モールドコア基板を前記第一固定具の第一収容キャビティに取り付けてから、前記第一固定具を同軸であり且つ互いに対面して設置される主軸及びバイトビットを備える加工機台に取り付けて、前記第一固定具の中心軸線を前記主軸の中心軸線に一致させ、前記バイトビットを前記モールドコア基板の成形面に対面して設置するステップと、前記主軸を回転させて、前記第一固定具を前記主軸の中心軸線を中心として回転させ、且つ前記バイトビットを前記主軸の中心軸線と一致させて前記モールドコア基板に接触させて、前記モールドコア基板の成形面に１つの成形穴を加工して形成するステップと、前記モールドコア基板を収容するための第二収容キャビティを有する第二固定具を提供し、前記第二収容キャビティの中心は前記第二固定具の中心軸線から外れているステップと、前記モールドコア基板を前記第二固定具の第二収容キャビティに収容してから、前記第二固定具を前記加工機台に取り付けて、前記第二固定具の中心軸線を前記主軸の中心軸線に一致させ、前記バイトビットを前記モールドコア基板の成形面に対面して設置するステップと、前記主軸を回転させて、前記第二固定具を前記主軸の中心軸線を中心として回転させ、且つ前記バイトビットを前記主軸の中心軸線と一致させて前記モールドコア基板に接触させて、前記モールドコア基板の成形面にもう１つの成形穴を加工して形成するステップと、備える。
【発明の効果】
【００１０】
本発明に係るモールドコアの製作方法は、固定具を採用して、モールドコア基板の中心に位置しない成形穴をモールドコア基板に加工するため、同じモールドコア基板に互いに離間して設置される複数の成形穴を形成することができ、従ってレンズアレイを製作するために用いられる精密な寸法及び形状を有するモールドコアを製作することができる。
【図面の簡単な説明】
【００１１】
【図１】本発明の実施形態に係るモールドコアの製作方法で製作されたモールドコアの構造を示す図である。
【図２】第一固定具及びモールドコア基板の構造を示す図である。
【図３】モールドコア基板を第一固定具に取り付けた構造を示す図である。
【図４】第一成形穴を加工することを示す図である。
【図５】モールドコア基板を回転することを示す図である。
【図６】モールドコア基板を第一固定具に再び取り付けた構造を示す図である。
【図７】第二成形穴を加工することを示す図である。
【図８】第二固定具及びモールドコア基板の構造を示す図である。
【図９】モールドコア基板を第二固定具に取り付けた構造を示す図である。
【図１０】第三成形穴を加工することを示す図である。
【図１１】モールドコア基板を回転することを示す図である。
【図１２】モールドコア基板を第二固定具に再び取り付けた構造を示す図である。
【図１３】第四成形穴を加工することを示す図である。
【発明を実施するための形態】
【００１２】
以下、図面を参照して、本発明の実施形態について説明する。
【００１３】
図１に示したように、本発明のモールドコアの製作方法によってモールドコア１０を製作する。前記モールドコア１００は、長方体であって、長方形の成形面１１０を有する。前記成形面１１０には、第三成形穴１４、第一成形穴１２、第二成形穴１３及び第四成形穴１５が順次に開設されている。前記第一成形穴１２、前記第二成形穴１３、第三成形穴１４及び第四成形穴１５は、レンズを成形するために用いられ、これらの成形穴の開口形状は、成形しようとするレンズの形状に対応する。これらの成形穴の開口の直径は、１ｍｍより小さく、これらの成形穴の表面は、球形表面又は非球形表面である。これらの成形穴の中心は、同じ直線に位置し、且つ前記第一成形穴１２及び前記第二成形穴１３は、前記成形面１１０の中心に対して対称設置され、前記第三成形穴１４及び前記第四成形穴１５も、前記成形面１１０の中心に対して対称設置される。前記第一成形穴１２の中心と前記第三成形穴１４の中心との間の距離及び前記第二成形穴１３の中心と前記第四成形穴１５の中心との間の距離は、全て１ｍｍより小さい。本発明のモールドコアの製作方法は以下のステップを備える。
【００１４】
第一ステップ：図２に示したように、第一固定具２００及び成形面１１０を有するモールドコア基板１００を提供する。前記第一固定具２００は、前記モールドコア基板１００を収容するための第一収容キャビティ２０２を有し、前記第一収容キャビティ２０２の中心は、前記第一固定具２００の中心軸線から外れている。
【００１５】
前記モールドコア基板１００の形状は、成形しようとするレンズアレイの形状によって決め、長方体、立方体、多角柱体、楕円柱体などとすることができる。本実施形態において、前記モールドコア基板１００は、長方体であって、長方形の成形面１１０を有する。前記モールドコア基板１００の材質は、ステンレス、炭素化タングステン、炭素化シリコンなどである。
【００１６】
前記第一固定具２００は、円形の第一取付面２０１を有する円柱形であって、前記第一取付面２０１は、前記第一固定具２００の底面である。前記第一取付面２０１から前記第一固定具２００の内部に向かって第一収容キャビティ２０２が開設されており、前記第一収容キャビティ２０２の横断面の形状は、前記モールドコア基板１００の成形面１１０の形状と等しい。前記第一収容キャビティ２０２の中心と前記第一固定具２００の中心軸線との間の距離は、前記第一成形穴１２の中心と前記モールドコア基板１００の成形面１１０の中心との間の距離と等しい。
【００１７】
第二ステップ：図３及び図４に示したように、主軸１０、チャック２０及びバイトビット３０を備える加工機台を提供し、前記モールドコア基板１００を前記第一固定具２００の第一収容キャビティ２０２に取り付けてから、前記第一固定具２００を前記チャック２０に固定する。前記モールドコア基板１００の成形面１１０は、前記第一固定具２００の第一収容キャビティ２０２から露出し且つ前記第一取付面２０１に平行する。前記モールドコア基板１００の前記第一成形穴１２を成形しようとする領域の中心は、前記第一固定具２００の中心軸線に位置する。
【００１８】
前記加工機台は、旋削加工機械である。旋削加工は、被削物をバイトに相対して回転させて、被削物に対して旋削加工する方法である。前記加工機台において、前記主軸１０と前記バイトビット３０は、同軸であり且つ互いに対面して設置され、前記主軸１０は、前記チャック２０に接続し且つ前記チャック２０を連動して回転させ、前記チャック２０の中心軸線は、前記主軸１０の中心軸線と一致し、前記バイトビット３０は、前記チャック２０の中心軸線に設置される。前記第一固定具２００の中心軸線は、前記チャック２０の中心軸線と一致し、前記バイトビット３０は、前記モールドコア基板１００の成形面１１０に対面して設置される。前記第一固定具２００の中心軸線は、前記主軸１０の中心軸線と一致し、前記モールドコア基板１００の前記第一成形穴１２を成形しようとする領域の中心は、前記主軸１０の中心軸線に位置する。
【００１９】
第三ステップ：前記主軸１０が回転するとともに前記チャック２０を連動して回転させて、前記チャック２０に固定されている前記第一固定具２００も前記主軸１０の中心軸線を中心として回転し、前記バイトビット３０を主軸の中心軸線と一致させて前記モールドコア基板１００に接触させ、前記モールドコア基板１００の成形面１１０に第一成形穴１２を加工して形成する。具体的に説明すると、前記第一固定具２００及び前記モールドコア基板１００が全て前記主軸１０の中心軸線を中心として回転しているところ、前記バイトビット３０は前記モールドコア基板１００の成形面１１０の前記第一成形穴１２を成形しようとする領域に対して加工して、前記第一成形穴１２を形成する。
【００２０】
第四ステップ：図５及び図６に示したように、前記モールドコア基板１００を前記第一固定具２００から取り外し且つ１８０度回転させてから、前記モールドコア基板１００を再び前記第一固定具２００の第一収容キャビティ２０２に取り付ける。具体的に説明すると、前記第一成形穴１２が形成されている前記モールドコア基板１００を前記第一固定具２００から取り外し、且つ前記主軸１０に平行する中心軸線を中心として前記モールドコア基板１００を１８０度回転させてから、前記モールドコア基板１００を再び前記第一固定具２００の第一収容キャビティ２０２に取り付ける。この時、前記モールドコア基板１００の前記第二成形穴１３を成形しようとする領域の中心は、前記第一固定具２００の中心軸線に位置する。
【００２１】
第五ステップ：図７に示したように、前記主軸１０が回転するとともに前記チャック２０を連動して回転させて、前記チャック２０に固定されている前記第一固定具２００も前記主軸１０の中心軸線を中心として回転し、前記バイトビット３０を前記モールドコア基板１００に接触させて、前記モールドコア基板１００の成形面１１０に第二成形穴１３を加工して形成する。具体的に説明すると、前記第一固定具２００及び前記モールドコア基板１００が全て前記主軸１０の中心軸線を中心として回転しているところ、前記バイトビット３０は前記モールドコア基板１００の成形面１１０の前記第二成形穴１３を成形しようとする領域に対して加工して、前記第二成形穴１３を形成する。
【００２２】
第六ステップ：図８及び図９に示したように、前記モールドコア基板１００を前記第一固定具２００から取り外してから第二固定具３００に取り付ける。
【００２３】
前記第二固定具３００の構造は、前記第一固定具２００の構造と類似する。前記第二固定具３００は、円形の第二取付面３０１を有する円柱形であって、前記第二取付面３０１は、前記第二固定具３００の底面である。前記第二固定具３００は、前記モールドコア基板１００を収容するための第二収容キャビティ３０２を有し、前記第二収容キャビティ３０２の中心は、前記第二固定具３００の中心軸線から外れている。前記第二収容キャビティ３０２は、前記第二取付面３０１から前記第二固定具３００の内部に向かって凹んで設置され、前記第二収容キャビティ３０２の横断面の形状は、前記モールドコア基板１００の成形面１１０の形状と等しい。前記第二収容キャビティ３０２の中心と前記第二固定具３００の中心軸線との間の距離は、前記第一収容キャビティ２０２の中心と前記第一固定具２００の中心軸線との間の距離より大きいか又は小さく、両者の差は１ｍｍより小さい。前記第二収容キャビティ３０２の中心と前記第二固定具３００の中心軸線との間の距離は、前記第三成形穴１４の中心と前記モールドコア基板１００の成形面１１０の中心との間の距離と等しい。前記モールドコア基板１００を前記第二固定具３００の第二収容キャビティ３０２に取り付けてから、前記モールドコア基板１００の成形面１１０は、前記第二固定具３００の第二収容キャビティ３０２から露出し且つ前記第二取付面３０１に平行する。前記モールドコア基板１００の前記第三成形穴１４を成形しようとする領域の中心は、前記第二固定具３００の中心軸線に位置する。
【００２４】
第七ステップ：図１０に示したように、前記第二固定具３００を加工機台に取り付けて旋削加工することにより、前記モールドコア基板１００の成形面１１０に第三成形穴１４を加工して形成する。
【００２５】
具体的に説明すると、前記第二固定具３００を加工機台のチャック２０に固定する。前記第二固定具３００の中心軸線は、前記主軸１０の中心軸線と一致する。前記バイトビット３０は、前記主軸１０と同軸であり且つ前記モールドコア基板１００の成形面１１０に対面して設置される。前記モールドコア基板１００の前記第三成形穴１４を成形しようとする領域の中心は、前記主軸１０の中心軸線に位置する。
【００２６】
前記主軸１０が回転するとともに前記チャック２０を連動して回転させて、前記チャック２０に固定されている前記第二固定具３００も前記主軸１０の中心軸線を中心として回転し、前記バイトビット３０を前記モールドコア基板１００に接触させて、前記モールドコア基板１００の成形面１１０に第三成形穴１４を加工して形成する。即ち前記第二固定具３００及び前記モールドコア基板１００が全て前記主軸１０の中心軸線を中心として回転しているところ、前記バイトビット３０は前記モールドコア基板１００の成形面１１０の前記第三成形穴１４を成形しようとする領域に対して加工して、前記第三成形穴１４を形成する。
【００２７】
第八ステップ：図１１及び図１２に示したように、前記モールドコア基板１００を前記第二固定具３００から取り外し且つ１８０度回転させてから、前記モールドコア基板１００を再び前記第二固定具３００の第二収容キャビティ３０２に取り付ける。具体的に説明すると、前記第一成形穴１２、前記第二成形穴１３及び前記第三成形穴１４が形成されている前記モールドコア基板１００を前記第二固定具３００から取り外し、且つ前記主軸１０に平行する中心軸線を中心として前記モールドコア基板１００を１８０度回転させてから、前記モールドコア基板１００を再び前記第二固定具３００の第二収容キャビティ３０２に取り付ける。この時、前記モールドコア基板１００の前記第四成形穴１５を成形しようとする領域の中心は、前記第二固定具３００の中心軸線に位置する。
【００２８】
第九ステップ：図１３に示したように、前記主軸１０が回転するとともに前記チャック２０を連動して回転させて、前記チャック２０に固定されている前記第二固定具３００も前記主軸１０の中心軸線を中心として回転し、前記バイトビット３０を前記モールドコア基板１００に接触させて、前記モールドコア基板１００の成形面１１０に第四成形穴１５を加工して形成する。具体的に説明すると、前記第二固定具３００及び前記モールドコア基板１００が全て前記主軸１０の中心軸線を中心として回転しているところ、前記バイトビット３０は前記モールドコア基板１００の成形面１１０の前記第四成形穴１５を成形しようとする領域に対して加工して、前記第四成形穴１５を形成する。
【００２９】
第十ステップ：図１に示したように、前記モールドコア基板１００を前記第二固定具３００から取り外して、第一成形穴１２、第二成形穴１３、第三成形穴１４及び第四成形穴１５が開設されているモールドコア１００を形成する。
【００３０】
本発明のモールドコアの製作方法において、更に複数の固定具を続いて採用することができる。これらの固定具に開設されている収容キャビティの位置が異なるため、モールドコア基板に更に複数の成形穴を形成することができる。なお、本発明のモールドコアの製作方法において、前記第三ステップによる第一成形穴を形成してから、第六ステップ及び第七ステップを行って、前記モールドコア基板にその成形面の中心に対して非対称な複数の成形穴を形成することができる。
【００３１】
本発明のモールドコアの製作方法は、固定具を採用して、モールドコア基板の中心に位置しない成形穴をモールドコア基板に加工するため、同じモールドコア基板に互いに離間して設置される複数の成形穴を形成することができる。
【００３２】
以上本発明を実施形態に基づいて具体的に説明したが、本発明は、上述の実施形態に限定されるものではなく、その要旨を逸脱しない範囲において、種種変更可能であることは勿論であって、本発明の保護範囲は、以下の特許請求の範囲から決まる。
【符号の説明】
【００３３】
１０  主軸
１２  第一成形穴
１３  第二成形穴
１４  第三成形穴
１５  第四成形穴
２０  チャック
３０  バイトビット
１００  モールドコア基板
１１０  成形面
２００  第一固定具
２０１  第一取付面
２０２  第一収容キャビティ
３００  第二固定具
３０１  第二取付面
３０２  第二収容キャビティ
【図１】
2010269594.tif 000003
【図２】
2010269594.tif 000004
【図３】
2010269594.tif 000005
【図４】
2010269594.tif 000006
【図５】
2010269594.tif 000007
【図６】
2010269594.tif 000008
【図７】
2010269594.tif 000009
【図８】
2010269594.tif 000010
【図９】
2010269594.tif 000011
【図１０】
2010269594.tif 000012
【図１１】
2010269594.tif 000013
【図１２】
2010269594.tif 000014
【図１３】
2010269594.tif 000015